(57)【要約】【課題】ボールの内部に大気圧以上の圧縮空気を入れなくも跳ねるボールを提供する。【解決手段】樹脂やゴムからなる軟質素材により構成された複数個の分割体１，１１の内壁面に多数個の凹部４，１４が多数本の線状の凸部３，１３で三角形又は三角形以外の幾何学模様になる形状に囲まれて形成されたことにより、凸部が糸巻きのような同等の機能を発揮し、ボールが全体で均一な硬さになり、複数個の分割体１，１１と別に形成された表皮体をボールの外壁面に取り付けても取り付けなくても、ボールとして使用することができる一方、分割体１，１１の円形な開口になった分割端部又は分割端部に設けられたフランジ部５，１５が互いに溶着又は接着されてボールの外壁面より外側に突出しないので、表皮体を取り付けても取り付けなくてもボールとして使いやすくなる。【選択図】図１
2015099185.tif 000002
【特許請求の範囲】
【請求項１】
樹脂やゴムからなる軟質素材により構成された複数個の分割体からなる中空なボールであって、各分割体の内壁面に凸部又は凹部が設けられ、中空なボールを構成するように各分割体の分割端部が互いに溶着又は接着された場合にボールの外壁面より外側に突出しない構成になったことを特徴とするボール。
【請求項２】
分割体の分割端部にはフランジ部が分割体の分割端部から中心部の側に突出して設けられ、中空なボールを構成するように各フランジ部が互いに溶着又は接着された場合にボールの外壁面より外側に突出しない構成になったことを特徴とする請求項１記載のボール。
【請求項３】
請求項１のボールをブラダーとして使用し、ブラダーの外壁面に表皮体を設けたことを
特徴とするボール。
【発明の詳細な説明】
【技術分野】
【０００１】
本発明は、樹脂やゴムからなる軟質素材により構成された複数個の分割体からなる中空なボールに関する。
【背景技術】
【０００２】
図１９及び図２０は、特許文献１で開示されたボールの気嚢としてのブラダーを示す。図１９に示すように、ブラダーは、第一分割体１０１のフランジ部１０２と第二分割体１０３のフランジ部１０４とが互いに結合されて１つのボールになっている。第一分割体１０１には、図２０に示すバルブ部１０５が設けられる。よって、ブラダーの外側から注射針のような針をバルブ部１０５に刺し、その針に空気入れ具の先端を接続し、空気入れ具により、空気をブラダーの内部に入れたりブラダーの内部から抜いたりすることができる。【０００３】
図１９に示すように、第一分割体１０１は、熱可塑性樹脂からなり、円形な開口から内部にドーム形の空間を備えた形状になっている。第一分割体１０１の内壁面には、線状の凸部１０６が縦横に延びており、第一分割体１０１の内壁面から空間の側に突出する。凸部１０６が互いに縦横に交差し、第一分割体１０１の内壁面には四角形の垂直投影面を有する多数個の凹部１０７が凸部１０６で囲まれて形成される。第一分割体１０１のフランジ部１０２は、第一分割体１０１の開口から第一分割体１０１の直径方向の外側に突出し、かつ、第一分割体１０１の開口を一周する環状になっている。フランジ部１０２には、位置合わせ部１０８が設けられる。【０００４】
第二分割体１０３は、熱可塑性樹脂からなり、円形な開口から内部にドーム形の空間を備えた形状になっている。第二分割体１０３の内壁面には、線状の凸部１０９が縦横に延びており、第一分割体１０１の内壁面から空間の側に突出する。凸部１０９が互いに縦横に交差し、第一分割体１０１の内壁面には四角形の垂直投影面を有する多数個の凹部１１０が凸部１０９囲まれて形成される。第二分割体１０３のフランジ部１０４は、第二分割体１０３の開口から第二分割体１０３の直径方向の外側に突出し、かつ、第二分割体１０３の開口を一周する環状になっている。フランジ部１０４には、位置合わせ部１１１が設けられる。【０００５】
そして、第一分割体１０１の開口と第二分割体１０３の開口とが互いに向かい合わされ、位置合わせ部１０８，１１１が互いに嵌め込まれ、フランジ部１０２，１０４が互いに合わせられて熱で溶着されることにより、第一分割体１０１と第二分割体１０３とが１つの球体になって図２０に示すブラダーを構成する。【０００６】
しかしながら、図１９に示すように、第一及び第二分割体１０１，１０３からなるブラダーにおいて、フランジ部１０２，１０４が、ブラダーの外壁面より外側に突出した構造であるため、図外の表皮体をブラダーに取り付けないと、ブラダーをボールとして使用することができない。又、ブラダーに表皮体を取り付ける際においては、フランジ部１０２，１０４を避けるか、表皮体にフランジ部１０２，１０４の段差を吸収するフォーム層を持たせる必要がある。
【先行技術文献】
【特許文献】
【０００７】
【特許文献１】米国特許出願公開第２０１３／００５３１９３号明細書
【発明の概要】
【発明が解決しようとする課題】
【０００８】
本発明は、上記背景技術に鑑みてなされたものであり、ボールが全体で均一な硬さになり、第一分割体と第二分割体と別に形成された表皮体をボールの外壁面に取り付けても取り付けなくても、ボールとして使用することができるようにすることを目的とする。
【課題を解決するための手段】
【０００９】
本発明は、樹脂やゴムからなる軟質素材により構成された複数個の分割体からなる中空なボールであって、各分割体の内壁面に凸部又は凹部が設けられ、中空なボールを構成するように各分割体の分割端部が互いに溶着又は接着された場合にボールの外壁面より外側に突出しない構成になったことを特徴とする。
【発明の効果】
【００１０】
本発明は、複数個の分割体からなる中空なボールの内壁面に凸部又は凹部が設けられた構成であるので、凸部が糸巻きのような機能を発揮し、ボールが全体で均一な硬さになり、複数個の分割体と別に形成された表皮体をボールの外壁面に取り付けても取り付けなくても、ボールとして使用することができる。即ち、中空なボールの内壁面に凸部又は凹部を設けたことにより、ボールの内部に大気圧以上の圧縮空気を入れなくも跳ねるボールが開発できた。又、中空なボールを構成するように各分割体の分割端部が互いに溶着又は接着された場合にボールの外壁面より外側に突出しない構成になっているので、複数個の分割体と別に形成された表皮体をボールの外壁面に貼る場合には、各分割体の分割端部どうしの溶着又は接着された結合線を跨いで表皮体を特別な加工なしでそのまま貼れる。本発明において、分割体の分割端部にはフランジ部が分割体の分割端部から中心部の側に突出して設けられ、中空なボールを構成するように各フランジ部が互いに溶着又は接着された場合にボールの外壁面より外側に突出しない構成であれば、分割体のドーム形の壁体部の厚みを薄くしても分割体の結合強度を維持できる。又、本発明において、ボールをブラダーとして使用し、ブラダーの外壁面に表皮体を設ければ、表皮体を変更し、ブラダーを共用することができる。
【図面の簡単な説明】
【００１１】
【図１】発明を実施するための形態１に係る第一及び第二分割体を分解して示す斜視図。
【図２】発明を実施するための形態１に係る凸部の設け方を説明する切頂二十面体の外観を示す斜視図。
【図３】発明を実施するための形態１に係る第一及び第二分割体を示す端面図。
【図４】発明を実施するための形態１に係るボールの外観を示す斜視図。
【図５】発明を実施するための形態２に係る第一及び第二分割体を示す端面図。
【図６】発明を実施するための形態３に係る分割体の一部の内部を示す展開図。
【図７】図６を中央部で真横に切断した断面図。
【図８】発明を実施するための形態４に係る分割体の図７に相当する断面図。
【図９】発明を実施するための形態５に係る分割体の一部の内部を示す展開図。
【図１０】発明を実施するための形態６に係る分割体の一部の内部を示す斜視図。
【図１１】発明を実施するための形態７に係る分割体の一部の内部を示す斜視図。
【図１２】発明を実施するための形態８に係る第一及び第二分割体を分解して示す斜視図。
【図１３】発明を実施するための形態９に係る第一及び第二分割体を分解して示す斜視図。
【図１４】発明を実施するための形態１０に係る第一乃至第三分割体を分解して示す斜視    図。
【図１５】発明を実施するための形態１１に係る中空のボールを構成する第一乃至第四分割体を示す展開図。
【図１６】発明を実施するための形態１２に係るボールを分解して示す斜視図。
【図１７】発明を実施するための形態１３に係るブラダーに表皮体貼り付けた構造を示す断面図。
【図１８】発明を実施するための形態１４に係るブラダーの一部と表皮体とを結合して示す断面図。
【図１９】従来の第一及び第二分割体の内部を示す斜視図。
【図２０】従来の第一及び第二分割体からなるブラダーの外観を示す斜視図。
【発明を実施するための形態】
【００１２】
図１を参照し、発明を実施するための形態１に係る複数個の分割体として例示した第一及び第二分割体１，１１の内部の構造について説明する。複数個の分割体は互いに組み合わせられることにより１つの中空なボールを構成するものである。よって、第一及び第二分割体１，１１が互いに組み合わせられることにより１つの中空なボールを構成する。第一及び第二分割体１，１１が熱可塑性樹脂から構成された場合は、第一及び第二分割体１，１１を溶着又は接着剤で結合することができる。一方、第一及び第二分割体１，１１が熱硬化性樹脂又はゴムから構成された場合は、第一及び第二分割体１，１１を接着剤で結合することができる。
【００１３】
第一分割体１は、円形な開口から内部に窪む空間を備えた球欠形状に構成される。第一分割体１は、樹脂又はゴムからなる素材を射出成形又はブレス成形又は真空成形等の型を用いた成形により、壁体部２と凸部３と凹部４とフランジ部５とを備えた一体構成になっている。第一分割体１の空間を囲む壁体部２は、全体的に同じ厚みになっている。壁体部２は、裏側から表側に突出するドーム形になっている。ドーム形は、中空なボールを１つの平面で切り取った立体図形をいう。よって、壁体部２は、あらかじめ定められたボールの外壁面に沿う３次元の曲面を構成する。壁体部２における空間の側に位置する内壁面には、凸部３が線状に多数本設けられる。各凸部３は、壁体部２の内壁面から第一分割体１の内部の空間に突出する。壁体部２の内壁面には、三角形の投影面を有する多数個の凹部４が各凸部３で囲まれた形状に形成される。
【００１４】
第一分割体１の円形な開口になった分割端部には、フランジ部５が設けられる。フランジ部５は、第一分割体１の分割端部から第一分割体１の開口の中心部の側に突出し、かつ、第一分割体１の開口を一周する環状になっている。つまり、フランジ部５は、第一分割体１の外壁面の側に突出することなく、第一分割体１の外壁面から内部の空間の側に突出した環状に構成される。
【００１５】
第二分割体１１は、円形な開口から内部に窪む空間を備えた球欠形状に構成される。第二及分割体１１は、樹脂又はゴムからなる素材を射出成形又はブレス成形又は真空成形等の型を用いた成形により、壁体部１２と凸部１３と凹部１４とフランジ部１５とを備えた一体構成になっている。第二分割体１１の空間を囲む壁体部１２は、全体的に同じ厚みになっている。壁体部１２は、裏側から表側に突出するドーム形になっている。よって、壁体部１２は、あらかじめ定められたボールの外壁面に沿う３次元の曲面を構成する。壁体部１２の空間の側に位置する内壁面には、凸部１３が線状に多数本設けられる。各凸部１３は、壁体部１２の内壁面から第二分割体１１の内部の空間に突出する。第二分割体１１の内壁面には、三角形の投影面を有する多数個の凹部１４が各凸部１３で囲まれた形状に形成される。
【００１６】
第二分割体１１の円形な開口になった分割端部には、フランジ部１５が設けられる。フランジ部１５は、第二分割体１１の開口から第二分割体１１の開口の中心部の側に突出し、かつ、第二分割体１１の開口を一周する環状になっている。つまり、フランジ部１５は、第二分割体１１の外壁面の側に突出することなく、第二分割体１１の外壁面から内部の空間の側に突出した環状に構成される。
【００１７】
第一分割体１の壁体部２と凸部３と凹部４とフランジ部５との設けられた構造と第二分割体１１の壁体部１２と凸部１３と凹部１４とフランジ部１５との設けられた構造とが互いに同じ形状であって、第一分割体１と第二分割体１１とが互いに同じ重さになっている。よって、中空なボールが空気の出し入れのできない構成の場合は、同じ形状の分割体が型を用いた成形により２個形成され、２個のうちの一方の分割体を第一分割体１として、２個のうちの他方の分割体を第二分割体１１として適用可能である。
【００１８】
又、第一及び第二分割体１，１１を図外の組立機で１つの中空な球体を構成するように組み立てることができる。第一及び第二分割体１，１１を図外の組立機で１つの中空な球体を構成するように組み立てる場合について説明すると、図外の組立機における２つの保持部が互いに向き合って離れた状態に開いており、その一方の保持部に第一分割体１を保持させ、その他方の保持部に第二分割体１１を保持させる。
【００１９】
そして、一方の保持部に保持された第一分割体１のフランジ部５と他方の保持部に保持された第二分割体１１のフランジ部１５とが例えば図３に示すように互いに向き合わされた状態である。そして、フランジ部５の第二分割体１１の側に位置する端面６とフランジ部１５の第一分割体１の側に位置する端面１６とが熱で溶融された後、２つの保持部が互いに近づく方向に直線的に移動して端面６，１６を互いに押し付けることにより、第一及び第二分割体１，１１とが互いに強固に溶着されて１つの中空なボールを構成する。
【００２０】
上記のように第一及び第二分割体１，１１の内壁面に、多数個の凹部４，１４を囲むように凸部３，１３が設けられたことにより、凸部３，１３が糸巻きのような機能を発揮し、第一及び第二分割体１，１１からなるボールが全体で均一な硬さになり、ボールとしての適切なリバンド性能も発揮できる。
【００２１】
図２を参照し、図１の凸部３，１３の設け方について切頂二十面体６１を例として説明する。図２において、切頂二十面体６１における正五角形面部６２には、三角形領域が５個設けられる。切頂二十面体６１における正六角形面部６３には、三角形領域が６個設けられる。正五角形面部６２における三角形領域と正六角形面部６３における三角形領域との大きさは異なる。正五角形面部６２と正六角形面部６３との各々における三角形の領域の区分線（点線と実線とからなる線）上に図１の凸部３，１３が配置されるように第一分割体１と第二分割体１１との中心から内壁面に投影した状態に設けられた構成である。尚、凸部３，１３の設け方は、切頂二十面体６１以外の正多面体を利用しても同様の効果が期待できる。又、ボールとして全体のバランスが取れる構造であれば、三角形以外の例えば幾何学模様による形状でも適用可能である。
【００２２】
図３を参照し、第一及び第二分割体１，１１について説明する。第一分割体１の開口に位置する中心部７を中心とする外壁面の半径８、第一分割体１の開口に位置する中心部７を中心とする内壁面の半径９、第二分割体１１の開口に位置する中心部１７を中心とする外壁面の半径１８、第二分割体１１の開口に位置する中心部１７を中心とする内壁面の半径１９とすると、半径８，１８が互いに同じ寸法であり、半径９，１９が互いに同じ寸法になっている。
【００２３】
図３において、第一及び第二分割体１，１１からボールを構成する場合、第一及び第二分割体１，１１のそれぞれの開口に位置する端面６，１６が互いに結合される。これにより、第一及び第二分割体１，１１から１個のボールが図４に示す形状に形成される。上記第一及び第二分割体１，１１が結合される場合には、壁体部２，１２の形状が変形しないように維持される。
【００２４】
図４を参照し、第一及び第二分割体１，１１からなるボールの外観について説明する。ボールには、第一及び第二分割体１，１１のフランジ部５，１５が互いに結合された結合線２１が存在する。結合線２１ではフランジ部５，１５が第一及び第二分割体１，１１の外壁面より外側に突出していない。つまり、ボールの外壁面は、第一及び第二分割体１，１１の外壁面が互いに連続した滑らかな球面を構成する。
【００２５】
ボールは、外部から内部に大気圧よりも高い圧力の圧縮空気を注入することができないように構成される場合と、外部から内部に圧縮空気を注入することができるように構成される場合とがある。ボールが外部から内部に圧縮空気を注入することができないように構成される場合は、又、図４に仮想線で示したバルブ設置孔部２２に代えて、その部分にボールの内外に通じる貫通孔部を設けることで、ボールの内部が大気圧と同じ圧力になり、外気圧や外気温度の影響を受けない構成になる。
【００２６】
ボールが外部から内部に圧縮空気を注入することができるように構成される場合は、図４に仮想線で示したバルブ設置孔部２２が第一及び第二分割体１，１１の一方又は両方に設けられ、バルブ設置孔部２２に図外のバルブ部が取り付けられる。そして、ボールの外部から注射針のような針をバルブに刺し、その針に空気入れ具の先端を接続し、空気入れ具により、空気をボールの内部に入れたりボールの内部から抜いたりできる。つまり、第一及び第二分割体１，１１からなるボールの内部が大気圧よりも高い圧力になることで空気ばねの特性を利用することが可能な構成になる。
【００２７】
更に、図４に示した第一及び第二分割体１，１１からなるボールの外壁面に、第一及び第二分割体１，１１と別に形成された図外の表皮体を取り付けることなく、図外の表皮体に似せた模様を一体に設けても同様に適用可能である。
【００２８】
図５を参照し、発明を実施するための形態２に係る第一及び第二分割体１，１１について説明する。図５に示した第一及び第二分割体１，１１は、図３に示したフランジ部５，１５を設けていない構造が図３に示す第一及び第二分割体１，１１と相違する。図５に示した壁体部２，１２の厚みが図３に示した壁体部２，１２の厚みよりも厚く構成されて、分割端部の端面６，１６が溶着されたことより、第一及び第二分割体１，１１の分割端部が互いに結合された図３に示した結合線２１と同じ結合線が存在する。この結合線２１と同じ結合線では分割端部が第一及び第二分割体１，１１の外壁面より外側に突出していない。つまり、ボールの外壁面は、第一及び第二分割体１，１１の外壁面が互いに連続した滑らかな球面を構成する。
【００２９】
図６、図７を参照し、発明を実施するための形態３に係る凸部３３，３４に高低差を付けた構造について説明する。尚、図６、図７において、分割体３１は図１の第一及び第二分割体１，１１の総称であり、壁体部３２は図１の壁体部２，１２の総称であり、凸部３３，３４は図１の凸部３，１３の総称であり、凹部３５，３６は図１の凹部４，１４の総称である。
【００３０】
図６に示したように、凸部３３が１つの凹部３５を囲み、凸部３４が凹部３５の中に複数個の凹部３６を囲む場合において、凸部３３が凸部３４よりも高くなっている。
【００３１】
具体的には、図７に示したように、凸部３３の高さＨ１が凸部３４の高さＨ２よりも高くなっている（Ｈ１＞Ｈ２）。高さＨ１，Ｈ２は、壁体部３２から分割体３１の内部の側に突出した寸法である。
【００３２】
図８を、発明を実施するための形態４に係る凸部３３，３４に高低差を付けた構造について説明する。図８に示したように、凸部３４の高さＨ２が凸部３３の側に位置する両端部から凹部３５の中心部の側に行くに従って低くなった構成も適用可能である。尚、図８において、分割体３１は図１の第一及び第二分割体１，１１の総称であり、壁体部３２は図１の壁体部２，１２の総称であり、凸部３３，３４は図１の凸部３，１３の総称であり、凹部３５，３６は図１の凹部４，１４の総称である。
【００３３】
以上のように凸部３３，３４に高低差を付けることにより、ボールのリバウンド、強度、触感を調整することができる。
【００３４】
又、図７及び図８に示したように、壁体部３２の外壁面に凸模様部５６と凹模様部５７を形成するというように、壁体部３２の外壁面に皺、ディンプル、ローレット等の凹凸を設けることにより、滑りにくいようにすることも可能である。壁体部３２の外壁面に凹凸を設ける場合、分割体３１の成形により設ける場合と、分割体３１と別体に形成された表皮体を壁体部３２の外壁面に取り付ける場合とがある。
【００３５】
図９を参照し、発明を実施するための形態５に係る凸部３７，３８が不連続になった構造について説明する。複数個の凸部３７が複数個の凸部３８の切れ目に存在し、複数個の凸部３８が複数個の凸部３７の切れ目に存在し、複数個の凸部３７と複数個の凸部３８とが互いに格子状に配置され、１対の凸部３７と１対の凸部３８とで１つの凹部３９を囲む構成になっている。尚、図９において、分割体３１は図１の第一及び第二分割体１，１１の総称であり、壁体部３２は図１の壁体部２，１２の総称であり、凸部３７，３８は図１の凸部３，１３の総称であり、凹部３９は図１の凹部４，１４の総称である。凸部３７，３８で囲まれる凹部３９の形は、三角形、四角形、五角形以上の多角形、円形、楕円形等でも適用可能である。
【００３６】
図１０を参照し、発明を実施するための形態６に係る凸部４６の構造について説明する。分割体３１の壁体部３２の内面には、凸部４６が渦巻状に設けられている。凸部４６の個数は、１個又は２個以上であってもよい。凸部４６は、途中に切れ目が存在する不連続な構成でもよい。尚、図１０において、分割体３１は図１の第一及び第二分割体１，１１の総称であり、壁体部３２は図１の壁体部２，１２の総称であり、凸部４６は図１の凸部３，１３の総称であり、凸部４６を凹部に構成しても適用可能である。
【００３７】
図１１を参照し、発明を実施するための形態７に係る凸部４７，４８の構造について説明する。分割体３１の壁体部３２の内面には、凸部４７が放射状に設けられている。隣接する凸部４７で仕切られた部分には、凸部４８がジクザク状に設けられている。凸部４７，４８の個数は、１個又は２個以上であってもよい。凸部４７，４８は、途中に切れ目が存在する不連続な構成でもよい。尚、図１１において、分割体３１は図１の第一及び第二分割体１，１１の総称であり、壁体部３２は図１の壁体部２，１２の総称であり、凸部４６は図１の凸部３，１３の総称であり、凸部４７，４８を凹部に構成しても適用可能である。
【００３８】
図１２を参照し、発明を実施するための形態８に係る第一及び第二分割体１，１１について説明する。第一分割体１が第二分割体１１よりも小さく分割された形状になっている。第一及び第二分割体１，１１の内壁面には、幾何学模様による形状の多数個の凹部４，１４を囲むように凸部３，１３が設けられている。そして、第一分割体１の開口と第二分割体１１の開口とが互いに向い合わされ、第一分割体１の端面６と第二分割体１１の端面１６とが互いに結合されることにより、第一及び第二分割体１，１１から１個のボールが形成される。
【００３９】
尚、図１２において、第二分割体１１を仮想線で示す分割線２３により二個に分けても同様に適用可能である。
【００４０】
図１３を参照し、発明を実施するための形態９に係る第一及び第二分割体１，１１について説明する。第一及び第二分割体１，１１は、野球ボール又はテニスボールを構成する分割体のように、ひょうたん型に分割された形状になっている。第一及び第二分割体１，１１のそれぞれの内壁面には、幾何学模様による形状の多数個の凹部４，１４を囲むように凸部３，１３が設けられている。そして、第一及び第二分割体１，１１のそれぞれの開口が互いに向い合わされ、第一及び第二分割体１，１１のそれぞれの端面６，１６が互いに結合されることにより、第一及び第二分割体１，１１から１個のボールが形成される。図１３に示す仮想線は第一及び第二分割体１，１１から構成される１個のボールの外形を示す線である。尚、第一及び第二分割体１，１１がばらばらにならないように一点で互いに連結された分割構成でも適用可能である。
【００４１】
図１４を参照し、発明を実施するための形態１０に係る複数個の分割体として例示した第一乃至第三分割体１，１１，４１について説明する。第一乃至第三分割体１，１１，４１は、１つの中空なボールにおける一対の極点にわたり周方向に３つに分割された形状になっている。第一乃至第三分割体１，１１，４１の内壁面には、幾何学模様による形状の多数個の凹部４，１４，４２を囲むように凸部３，１３，４３と、フランジ部５，１５，４４とが設けられている。そして、第一乃至第三分割体１，１１，４１のフランジ部５，１５，４４における開口に位置する端面６，１６：４５が互いに結合されることにより、第一乃至第三分割体１，１１，４１から１個のボールが形成される。尚、第一及び第二分割体１，１１がばらばらにならないように一点で互いに連結された分割構成でも適用可能である。
【００４２】
尚、図１４において、複数個の分割体は１つの中空なボールにおける一対の極点にわたり４つに分割された形状であっても同様に適用可能である。
【００４３】
図１５を参照し、発明を実施するための形態１１に係る複数個の分割体として例示した第一乃至第四分割体１，１１，４１，５１について説明する。第一乃至第四分割体１，１１，４１，５１は、１つの中空なボールにおける１つ極点で繋がりかつ周方向に４つに分割された形状になっている。第一乃至第四分割体１，１１，４１，５１の内壁面には、凸部３，１３，４３，５２と凹部４，１４，４２，５３とフランジ部５，１５，４４，５４とが設けられている。凸部３，１３，４３，５２が凹部４，１４，４２，５３を個別に囲む構成である。凹部４，１４，４２，５３は幾何学模様による形状になった多数個になっている。そして、第一乃至第四分割体１，１１，４１，５１のそれぞれの端面６，１６：４５，５５が互いに結合されることにより、第一乃至第四分割体１，１１，４１，５１から１個のボールが形成される。
【００４４】
図１６を参照し、発明を実施するための形態１２に係るボールの構造について説明する。ブラダー７０は、図１に示した凸部３と凹部４とを内部に有するボールにより構成される。表皮体７１は、六角形以外の形状であっても適用可能である。又、１つのブラダー７０に貼り付けられる表皮体７１の形状は一種類とは限らず複数種類であっても適用可能である。表皮体７１は、樹脂又はゴムからなる軟質素材により構成され、本体部７２と周壁部７３と面取り部７４とを備える。本体部７２は、裏側から表側に突出するドーム形であり、あらかじめ定められたブラダー７０の外壁面に沿う３次元の曲面を構成する。
【００４５】
周壁部７３は、本体部７２の各周縁部からブラダー７０の側としての裏側に突出し、本体部７２の周縁部を一周する環状になっている。面取り部７４は、表皮体７１の人に触れられる側としての表側において、本体部７２と周壁部７３との稜角が平面又は曲面になるように除去された構成である。つまり、本体部７２と周壁部７３との稜角が平面又は曲面になるように除去された構成の面取り部７４が表皮体７１の表側に設けられた造形になっている。
【００４６】
以上のように、表皮体７１は、樹脂又はゴムからなる軟質素材を用いた射出成形又はプレス成形又は真空成形又はブロー成形等の型を用いた成形により、本体部７２と周壁部７３と面取り部７４を備えた一体構成になった簡単な構造になっている。
【００４７】
図１７を参照し、発明を実施するための形態１３に係る表皮体７１が図１に示した凸部３と凹部４とを内部に有するボールにより構成されたブラダー７０に貼り付けられた構造について説明する。隣接する表皮体７１の周壁部７３が互いに接着剤で接着された状態で、本体部７２がブラダー７０の外壁面より離れて配置され、隣接する周壁部７３のブラダー７０の側の面がブラダー７０の外壁面に接着剤で接着される。
【００４８】
これにより、空洞部７５が表皮体７１とブラダー７０との間にブラダー７０と本体部７２と周壁部７３とで囲まれ空間として形成され、複数個の表皮体７１がブラダー７０の外壁面の全体を覆い、人がボールを握った時、本体部７２が凹みやすく、ボールが握りやすくなる。又、隣接する表皮体７１どうしの境目に面取り部７４に基づく谷部が形成され、ボールが握りやすくなり、しかも、ボールの外観が手縫い調になる。
【００４９】
図１８を参照し、発明を実施するための形態１４に係るボールの構造について説明する。図１８に示したように、ボールは、隣接する周壁部７３の間に隙間が形成されるように、隣接する表皮体７１がブラダー７０の外壁面に固定され、当該隙間にスペーサ７６が配置された構造である。スペーサ７６は、ブラダー７０に一体に設けられるか又はブラダー７０と別体に設けられた構造でも適用可能である。スペーサ７６がブラダー７０と別体である場合、スペーサ７６はブラダー４０及び隣接する表皮体７１の一方又は両方に固定される。
【００５０】
図示は省略したが、凸部３，１３，３３，３４，３７，３８，４３，５２を凹部とし、前記凹部４，１４，３５，３６，３９，４２，５３を凸部とし、凸部３，１３，３３，３４，３７，３８，４３，５２に代わる凹部が凹部４，１４，３５，３６，３９，４２，５３に代わる凸部を囲むように、第一分割体１、第二分割体１１、分割体３１、第三分割体４１、第四分割体５１等の分割体の内面に設けられても適用可能である。
【００５１】
又、図示は省略したが、凸部３，１３，３３，３４，３７，３８，４３，５２、又は、凹部４，１４，３５，３６，３９，４２，５３に代わる凸部は、ボールが全体で均一な硬さになり、ボールとしての適切なリバンド性能も発揮できれば、線状以外の円形又は楕円形又は角形等の不連続に突出した形状でも適用可能である。
【符号の説明】
【００５２】
１      第一分割体
２      壁体部
３      凸部
４      凹部
５      フランジ部
６      端面
７      中心部
８      半径
９      半径
１１    第二分割体
１２    壁体部
１３    凸部
１４    凹部
１５    フランジ部
１６    端面
１７    中心部
１８    半径
１９    半径
２１    結合線
２２    バルブ設置孔部
２３    分割線
３１    分割体
３２    壁体部
３３    凸部
３４    凸部
３５    凹部
３６    凹部
３７    凸部
３８    凸部
３９    凹部
４１    第三分割体
４２    凹部
４３    凸部
４４    フランジ部
４５    端面
４６    凸部
４７    凸部
４８    凸部
５１    第四分割体
５２    凸部
５３    凹部
５４    フランジ部
５５    端面
５６    凸模様部
５７    凹模様部
６１    切頂二十面体
６２    正五角形面部
６３    正六角形面部
７０    ブラダー
７１    表皮体
７２    本体部
７３    周壁部
７４    面取り部
７５    空洞部
７６    スペーサ
７７    断面位置
１０１  第一分割体
１０２  フランジ部
１０３  第二分割体
１０４  フランジ部
１０５  バルブ部
１０６  凸部
１０７  凹部
１０８  位置合わせ部
１０９  凸部
１１０  凹部
１１１  位置合わせ部
【図１】
2015099185.tif 000003
【図２】
2015099185.tif 000004
【図３】
2015099185.tif 000005
【図４】
2015099185.tif 000006
【図５】
2015099185.tif 000007
【図６】
2015099185.tif 000008
【図７】
2015099185.tif 000009
【図８】
2015099185.tif 000010
【図９】
2015099185.tif 000011
【図１０】
2015099185.tif 000012
【図１１】
2015099185.tif 000013
【図１２】
2015099185.tif 000014
【図１３】
2015099185.tif 000015
【図１４】
2015099185.tif 000016
【図１５】
2015099185.tif 000017
【図１６】
2015099185.tif 000018
【図１７】
2015099185.tif 000019
【図１８】
2015099185.tif 000020
【図１９】
2015099185.tif 000021
【図２０】
2015099185.tif 000022
【国際調査報告】
2015099185.tif 000023
2015099185.tif 000024
2015099185.tif 000025
2015099185.tif 000026